(57)【要約】【課題】常に良好な画像の投影を行うことができるプロジェクタを提供する。【解決手段】画像を投影する投影部と、前記投影部を格納する筐体と、前記筐体に取り付けられ、段階的に伸長可能な設定部材と、前記設定部材に備えられ、前記画像を投影する投影面を支持する支持部材と、前記設定部材が伸長した段階に応じて、前記投影部により投影される前記画像を前記投影面に結像させる投影制御部とを備える。【選択図】図１
2011095303.tif 000002
【特許請求の範囲】
【請求項１】
画像を投影する投影部と、
前記投影部を格納する筐体と、
前記筐体に取り付けられ、段階的に伸長可能な設定部材と、
前記設定部材に備えられ、前記画像を投影する投影面を支持する支持部材と、
前記設定部材が伸長した段階に応じて、前記投影部により投影される前記画像を前記投影面に結像させる投影制御部と
を備えることを特徴とするプロジェクタ。
【請求項２】
前記投影面に設置するスクリーンを収納する収納部を更に備えることを特徴とする請求項１記載のプロジェクタ。
【請求項３】
前記スクリーンは巻き取ることにより前記収納部に収納することが可能なロール式であることを特徴とする請求項２記載のプロジェクタ。
【請求項４】
前記スクリーンは折り畳むことにより前記収納部に収納することが可能な折り畳み式であることを特徴とする請求項２記載のプロジェクタ。
【発明の詳細な説明】
【技術分野】
【０００１】
本発明はプロジェクタに関するものである。
【背景技術】
【０００２】
撮像機能を有する小型のプロジェクタが存在する（例えば、特許文献１参照）。このプロジェクタによれば、任意の場所に撮像した画像を投影することができる。
【先行技術文献】
【特許文献】
【０００３】
【特許文献１】特開２００６−１３５８９４号公報
【発明の概要】
【発明が解決しようとする課題】
【０００４】
しかし上述のプロジェクタにおいては、投影場所及び投影距離等を考慮しなければ良好な画像の投影が困難であった。
【課題を解決するための手段】
【０００５】
本発明のプロジェクタは、画像を投影する投影部と、前記投影部を格納する筐体と、前記筐体に取り付けられ、段階的に伸長可能な設定部材と、前記設定部材に備えられ、前記画像を投影する投影面を支持する支持部材と、前記設定部材が伸長した段階に応じて、前記投影部により投影される前記画像を前記投影面に結像させる投影制御部とを備えることを特徴とする。
【発明の効果】
【０００６】
本発明のプロジェクタによれば、常に良好な画像の投影を行うことができる。
【図面の簡単な説明】
【０００７】
【図１】実施の形態に係るデジタルカメラの前面を示す斜視図である。
【図２】実施の形態に係るデジタルカメラのシステム構成を示すブロック図である。
【図３】実施の形態に係るデジタルカメラにおいて設定部材等を展開した状態を示す図である。
【図４】実施の形態に係るデジタルカメラにおいて設定部材等を展開した状態を側面から見た図である。
【図５】実施の形態に係るデジタルカメラにおいてスクリーンを引出した状態を示す図である。
【図６】実施の形態に係るデジタルカメラにおいてスクリーンの下端を固定した状態を示す図である。
【図７】実施の形態に係るデジタルカメラにおいてスクリーンを設置した状態を示す図である。
【図８】実施の形態に係るデジタルカメラの投影処理を示すフローチャートである。
【図９】実施の形態に係るデジタルカメラにおいてスクリーンの代替物を保持するための部材を備えた状態を示す図である。
【発明を実施するための形態】
【０００８】
以下、図面を参照して本発明の実施の形態に係るデジタルカメラについて説明する。図１は、実施の形態に係るデジタルカメラの前面を示す斜視図である。デジタルカメラ２は、筐体４を備え、筐体４の前面には、被写体光を入射させる撮影レンズ６、画像を投影する投影窓８、被写体を照射する光を射出するフラッシュ窓１０が設けられている。また、筐体４の上面には、撮像指示を行うシャッタボタン１２、設定部材１８、２２を筐体４に取付ける取付部２０、２４が設けられている。また、筐体４の下面には、設定部材２６、３０を筐体４に取付ける取付部２８、３２が設けられている。なお、設定部材１８、２２、２６、３０は画像の投影距離を設定するための伸縮可能な部材であり、図１は、各設定部材が折り畳まれた状態を表示している。また、筐体４の下部には、後述するスクリーンを格納する収納部３３が設けられている。
【０００９】
図２は、実施の形態に係るデジタルカメラのシステム構成を示すブロック図である。デジタルカメラ２は、ＣＰＵ４０を備え、ＣＰＵ４０には、シャッタボタン１２、電源スイッチ（図示せず）、カメラ撮影を行う撮影モードとプロジェクタ投影を行う投影モードとを切り換えるＰＪボタン（図示せず）等を備える操作部４２、撮影レンズ６を介した被写体光を撮像して撮像信号を生成するＣＭＯＳ、ＣＣＤ等により構成される撮像素子４４、設定部材が所定の位置まで開かれたこと及び設定部材を構成するエレメントが所定の位置まで引出されたことを検出する検出部４５、撮像、投影等に関する設定、制御を行うためのプログラムを格納するプログラム記憶部４６、撮像された画像データ、投影画像の画像データ等を記憶するメモリカード４８、メモリカード４８等に記憶された画像データに基づく画像を投影する投影ユニット５０が接続されている。ここで、投影ユニット５０は、光源であるＬＥＤ５２の点灯及び消灯を行う電源制御部５４、投影する画像を表示するＬＣＯＳ５６の表示制御を行う投影制御部５８を備えている。
【００１０】
図３は、実施の形態に係るデジタルカメラ２において設定部材等を展開した状態を示す図である。設定部材１８、２２、２６、３０は金属等で構成される円筒状の部材であり、径大エレメント内に複数の径小エレメントがスライド自在に収納されている。即ち、設定部材１８では、エレメント１８ａにエレメント１８ｂが、エレメント１８ｂにエレメント１８ｃが収納されている。また、設定部材２２では、エレメント２２ａにエレメント２２ｂが、エレメント２２ｂにエレメント２２ｃが収納されている。また、設定部材２６では、エレメント２６ａにエレメント２６ｂが、エレメント２６ｂにエレメント２６ｃが収納されている。また、設定部材３０では、エレメント３０ａにエレメント３０ｂが、エレメント３０ｂにエレメント３０ｃが収納されている。
【００１１】
設定部材１８のエレメント１８ｃの先端には、投影面の高さを設定する支持部材６２を固定する固定端６４が設けられている。また、設定部材２２のエレメント２２ｃの先端には、投影面の幅を設定する支持部材６６を固定する固定端６８が設けられている。また、設定部材２６のエレメント２６ｃの先端には、投影面の幅を設定する支持部材７０及び投影面の対角方向の長さを設定する支持部材７２を固定する固定端７４が設けられている。また、設定部材３０のエレメント３０ｃの先端には、投影面の高さを設定する支持部材７６及び投影面の対角方向の長さを設定する支持部材７８を固定する固定端８０が設けられている。ここで、支持部材６２、６６、７０、７２、７６、７８は金属等で構成される円筒状の部材であり、径大エレメント内に複数の径小エレメントがスライド自在に収納されている。なお、固定端６４には、支持部材６６，７８の先端を固定するための図示しないロック機構が設けられている。同様に、固定端６８には支持部材７２、７６、固定端７４には支持部材６２、固定端８０には支持部材７０の先端を固定するための図示しないロック機構が設けられている。
【００１２】
また、デジタルカメラ２の上面側の設定部材１８，２２は下面側の設定部材２６，３０よりも長めに設定されており、設定部材を展開した際に、固定端６４、６８，７４，８０に囲まれた面を投影面として後述するスクリーンを設置することにより、スクリーン面に投影画像を投影することができるように構成されている（図４参照）。
【００１３】
また、取付部２０，２４，２８，３２の内部には取付部が所定の角度回動したことを検知する展開スイッチ（図示せず）が設けられている。折り畳まれている設定部材が開かれ、取付部が所定の角度回動することにより展開スイッチがオンされる。全ての展開スイッチがオンされると検出部４５は、設定部材１８、２２、２６、３０が全て所定の位置まで開いたことを検出する。また、設定部材１８、２２、２６、３０を構成するエレメント１８ａ、２２ａ、２６ａ、３０ａの先端には、それぞれに収納されているエレメント１８ｂ、２２ｂ、２６ｂ、３０ｂが所定の位置まで引出されたことを検知する引出スイッチ（図示せず）が設けられている。エレメント１８ｂ、２２ｂ、２６ｂ、３０ｂがそれぞれエレメント１８ａ、２２ａ、２６ａ、３０ａから引出されることにより引出スイッチがオンされる。全ての引出スイッチがオンされると検出部４５は、エレメント１８ｂ、２２ｂ、２６ｂ、３０ｂが全て所定の位置まで引出されたことを検出する。また、エレメント１８ｂ、２２ｂ、２６ｂ、３０ｂの先端には、それぞれに収納されているエレメント１８ｃ、２２ｃ、２６ｃ、３０ｃが所定の位置まで引出されたことを検知する引出スイッチ（図示せず）が設けられている。エレメント１８ｃ、２２ｃ、２６ｃ、３０ｃがそれぞれエレメント１８ｂ、２２ｂ、２６ｂ、３０ｂから引出されることにより引出スイッチがオンされる。全ての引出スイッチがオンされると検出部４５は、エレメント１８ｃ、２２ｃ、２６ｃ、３０ｃが全て所定の位置まで引出されたことを検出する。
【００１４】
ここで、設定部材１８、２２、２６、３０をそれぞれ所定の位置まで開いた状態を第１段目とする。第１段目において投影する画像のサイズやピント等は、筐体４の前面から投影面までの投影距離に基づいて設定される。なお第１段目の投影面は、設定部材１８、２２、２６、３０を所定の位置まで開いた状態において、固定端６４、６８，７４，８０に囲まれた面に構成される。また、設定部材１８、２２、２６、３０を構成するエレメント１８ａ、２２ａ、２６ａ、３０ａからエレメント１８ｂ、２２ｂ、２６ｂ、３０ｂをそれぞれ所定の位置まで引出した状態を第２段目とする。第２段目において投影する画像のサイズやピント等は、筐体４の前面から投影面までの投影距離に基づいて設定される。ここで、第２段目の投影面は、エレメント１８ｂ、２２ｂ、２６ｂ、３０ｂをそれぞれ所定の位置まで引出した状態において、固定端６４、６８，７４，８０に囲まれた面に構成される。また、エレメント１８ｂ、２２ｂ、２６ｂ、３０ｂからエレメント１８ｃ、２２ｃ、２６ｃ、３０ｃをそれぞれ所定の位置まで引出した状態を第３段目とする。第３段目において投影する画像のサイズやピント等は、筐体４の前面から投影面までの投影距離に基づいて設定される。ここで、第３段目の投影面は、エレメント１８ｃ、２２ｃ、２６ｃ、３０ｃをそれぞれ所定の位置まで引出した状態において、固定端６４、６８，７４，８０に囲まれた面に構成される。
【００１５】
図５は、実施の形態に係るデジタルカメラ２においてスクリーンを引出した状態を示す図である。スクリーン８２は円筒状に巻き取ることができるロール式のスクリーンであり、円筒を３つに折り畳んで収納部３３に収納されている。また、スクリーン８２は紛失しないように伸縮性部材８４を介して筐体４に取り付けられている。以下、スクリーン８２を設置するための手順について説明する。まず、操作者は、設定部材１８、２２、２６、３０をそれぞれ所定の位置まで開き、必要な場合には更に各エレメントを所定の位置まで引出す。図５は、設定部材１８、２２、２６、３０がそれぞれ所定の位置まで開かれ、エレメント１８ｂ、２２ｂ、２６ｂ、３０ｂ、更にエレメント１８ｃ、２２ｃ、２６ｃ、３０ｃがそれぞれ所定の位置まで引出されており第３段目の状態を表示している。次に、折り畳まれている支持部材６２，６６、７０、７２、７６，７８を開いてこれらの先端を固定端（固定端６４、６８，７４，８０のうちそれぞれの支持部材に対応するもの）に固定することにより、投影面を設定する（図３参照）。次に、収納部３３からスクリーン８２を引出し（図５参照）、折畳まれた部分を開いて下側の固定端７４，８０にスクリーン８２の下部両端を固定する（図６参照）。次に、巻き取られた状態のスクリーン８２を広げて上側の固定端６４，６８にスクリーン８２の上部両端を固定する（図７参照）。これにより、投影面にスクリーン８２が設置される。
【００１６】
次に、図８に示すフローチャートを参照して実施の形態に係るデジタルカメラ２における投影処理について説明する。まず、デジタルカメラ２の図示しない電源スイッチがオンされると（ステップＳ１１）、ＣＰＵ４０は、検出部４５において設定部材１８、２２、２６、３０が所定の位置まで開いたこと、エレメント１８ｂ、２２ｂ、２６ｂ、３０ｂが所定の位置まで引出されたこと、及びエレメント１８ｃ、２２ｃ、２６ｃ、３０ｃが所定の位置まで引出されたことの検出を行う（ステップＳ１２）。例えば、操作者により、折り畳まれている設定部材１８、２２、２６、３０が開かれて展開スイッチが全てオンされ、エレメント１８ｂ、２２ｂ、２６ｂ、３０ｂが引出されて引出スイッチが全てオンされ、更にエレメント１８ｃ、２２ｃ、２６ｃ、３０ｃが引出されて引出スイッチが全てオンされた場合には、エレメント１８ｃ、２２ｃ、２６ｃ、３０ｃが所定の位置まで引出されたことが検出される（ステップＳ１２）。
【００１７】
次に、ＣＰＵ４０は、プログラム記憶部４６から投影面までの投影距離に対応する画像のサイズやピント等の投影情報を取得する（ステップＳ１３）。例えば、エレメント１８ｃ、２２ｃ、２６ｃ、３０ｃが所定の位置まで引出されたことが検出された場合であれば、第３段目の投影面までの投影距離に基づいた画像のサイズやピント等の投影情報を取得する。次に、操作者によりスクリーン８２が投影面に設置され、図示しないＰＪボタンが押下されると、投影ユニット５０により画像の投影を行う投影モードが設定される（ステップＳ１４）。投影モードが設定されると、ＣＰＵ４０は投影ユニット５０に投影開始の指示を行い、スクリーン８２に対して投影面までの投影距離に基づいた画像の投影を行う（ステップＳ１５）。例えば、図７に示す場合には、第３段目の投影面までの投影距離に基づいた画像の投影を行う。
【００１８】
この実施の形態に係るデジタルカメラ２によれば、収納部３３から引出したスクリーン８２を投影面に設置することにより、常に良好な画像の投影を行うことができる。また、投影画像のサイズやピント等が各段階ごとの投影距離に基づいて設定されるため、ピントを合わせる手間を省くことができる。また、スクリーン８２に投影画像を表示するため、デジタルカメラ２の背面の液晶表示部等に画像を表示する場合よりも多人数で画像を鑑賞することができる。また、伸縮性部材８４によりスクリーン８２が筐体４に結び付けられているため、スクリーン８２の紛失を防止することができる。また、スクリーン８２をデジタルカメラ２内に収納することにより、持ち運ぶ不便さを解消することができる。
【００１９】
なお、上述の実施の形態においては、投影面までの投影距離に対応する画像のサイズやピント等の投影情報を取得した後に投影を行っているが、投影中に画像のサイズやピント等を切り替えてもよい。例えば、第１段の投影面に画像を投影している場合において、更にエレメント１８ｂ、２２ｂ、２６ｂ、３０ｂが引出されたことが検出された場合には、第２段の投影面に合わせて画像のサイズやピント等を切り替えるようにしてもよい。これにより、電源を切らずに画像のサイズを変更することができる。
【００２０】
また、上述の実施の形態においては、ロール式のスクリーン８２を折り畳んでいるが、スクリーン８２は折り畳まなくてもよい。この場合、スクリーン８２を折り畳む手間を省くことができる。また、ロール式とせず、平面状のスクリーンを折り畳む折り畳式としてもよい。この場合、スクリーン８２を巻き取るための巻き取り機構を設ける必要がない。
【００２１】
また、上述の実施の形態においては、予めスクリーン８２をデジタルカメラ２内に内蔵しているが、スクリーン８２を内蔵しなくてもよい。この場合、例えば適当な色及び形状の紙や布などを表示部として画像を投影できるように、紙や布などを挟んで固定する保持部材９０、９２を備えてもよい（図９参照）。
【００２２】
また、上述の実施の形態において、スクリーン８２を透過式としてもよい。これにより、スクリーンの背面からも投影画像を観賞することができ、観賞者の人数が多い場合に有効である。
【符号の説明】
【００２３】
２…デジタルカメラ、４…筐体、６…撮影レンズ、８…投影窓、１０…フラッシュ窓、１２…シャッタボタン、１８、２２、２６、３０…設定部材、２０、２４、２８、３２…取付部、３３…収納部。
【図１】
2011095303.tif 000003
【図２】
2011095303.tif 000004
【図３】
2011095303.tif 000005
【図４】
2011095303.tif 000006
【図５】
2011095303.tif 000007
【図６】
2011095303.tif 000008
【図７】
2011095303.tif 000009
【図８】
2011095303.tif 000010
【図９】
2011095303.tif 000011